(57)【特許請求の範囲】
【請求項１】
複数のＬＥＤ光源の各々が所定位置に配置されるＬＥＤ基板と、
先端部に凹部を有する複数のレンズ部の各々が、前記複数のＬＥＤ光源の各々に対応する位置に配置されるレンズと、
前記ＬＥＤ基板と前記レンズとを保持するホルダと、
を備え、
前記ホルダは、
環状に設けられる所定高さの立壁と、
前記立壁の内部の空間を、前記立壁の高さ方向に２分割して、前記ＬＥＤ基板を収容する第１の空間と前記レンズを収容する第２の空間とに隔て、かつ、前記複数のＬＥＤ光源の各々および前記複数のレンズ部の各々の位置に対応する位置に開口が設けられるホルダプレートと、
前記ＬＥＤ基板を係止する基板係止部材と、
前記レンズを係止するレンズ係止部材と、
を有し、
前記立壁の内壁が不透光性を有し、
前記ホルダ内の、前記第１の空間に、前記ＬＥＤ基板が収容されて、前記基板係止部材によって係止され、
前記ホルダ内の、前記第２の空間に、前記レンズが収容されて、前記レンズ係止部材によって係止され、
前記ＬＥＤ基板と前記レンズとが前記ホルダ内に収容されて係止されると、前記ＬＥＤ基板における前記複数のＬＥＤ光源の各々は、前記ホルダプレートの前記複数の開口の各々を介して、前記複数のレンズ部の各々における先端部の凹部の内部に入り込んだ状態となる照明器具。
【請求項２】
請求項１に記載の照明器具において、
前記ホルダを収容する灯具本体と、
放熱フィンと、
をさらに有し、
前記レンズは、前記灯具本体の光出射側に位置し、
前記灯具本体の前記光出射側とは反対の側に前記放熱フィンが位置し、前記放熱フィンは、前記ＬＥＤ基板からの熱を放熱する照明器具。
【発明の詳細な説明】
【技術分野】
【０００１】
本発明は、ＬＥＤを光源として天井面に埋設されて設置され、一例としてダウンライトに適用される照明器具に関する。
【背景技術】
【０００２】
従来より、ＬＥＤ光源が実装された基板（ＬＥＤ実装基板）にレンズが取り付けられ、ＬＥＤ光源から投光された光をレンズで配光して照射する照明器具が知られている（例えば、特許文献１参照）。
【先行技術文献】
【特許文献】
【０００３】
【特許文献１】特開２０１０−４９８３０号公報（図９、段落００２２）
【発明の概要】
【発明が解決しようとする課題】
【０００４】
ここで、ＬＥＤ実装基板にレンズが取り付けられた照明器具のなかには、図８に示すように、レンズ１００の外周縁１００Ａに立壁１０１がレンズ１００と一体に設けられ、立壁１０１に一対の基板取付部１０３（一方のみを図示する）が設けられ、基板取付部１０３にＬＥＤ実装基板１０４が取り付けられたものがある。
ＬＥＤ実装基板１０４の基板１０５にはＬＥＤ光源１０６が設けられている。
なお、ＬＥＤ実装基板１０４には熱伝導シート１０８が重ね合わされている。
【０００５】
この照明器具は、レンズ１００に立壁１０１が一体に設けられているので立壁１０１は透光性を備えている。このため、立壁を透過した光が外部に漏れることが考えられ、この観点から改良の余地が残されていた。
さらに、レンズ１００に立壁１０１が一体に設けられているので、製造時あるいは施工時にレンズ１００を交換する場合、レンズ１００をＬＥＤ実装基板１０４から取り外す必要があり、レンズ１００の交換に手間がかかっていた。
【０００６】
本発明は、前述した課題を解決するためになされたものであり、その目的は、光が外部に漏れることを防止でき、さらに、レンズの交換が容易な照明器具を提供することにある。
【課題を解決するための手段】
【０００７】
本発明の照明器具は、複数のＬＥＤ光源の各々が所定位置に配置されるＬＥＤ基板と、先端部に凹部を有する複数のレンズ部の各々が、前記複数のＬＥＤ光源の各々に対応する位置に配置されるレンズと、前記ＬＥＤ基板と前記レンズとを保持するホルダと、を備え、前記ホルダは、環状に設けられる所定高さの立壁と、前記立壁の内部の空間を、前記立壁の高さ方向に２分割して、前記ＬＥＤ基板を収容する第１の空間と前記レンズを収容する第２の空間とに隔て、かつ、前記複数のＬＥＤ光源の各々および前記複数のレンズ部の各々の位置に対応する位置に開口が設けられるホルダプレートと、前記ＬＥＤ基板を係止する基板係止部材と、前記レンズを係止するレンズ係止部材と、を有し、前記立壁の内壁が不透光性を有し、前記ホルダ内の、前記第１の空間に、前記ＬＥＤ基板が収容されて、前記基板係止部材によって係止され、前記ホルダ内の、前記第２の空間に、前記レンズが収容されて、前記レンズ係止部材によって係止され、前記ＬＥＤ基板と前記レンズとが前記ホルダ内に収容されて係止されると、前記ＬＥＤ基板における前記複数のＬＥＤ光源の各々は、前記ホルダプレートの前記複数の開口の各々を介して、前記複数のレンズ部の各々における先端部の凹部の内部に入り込んだ状態となる。
【０００８】
また、本発明の照明器具は、前記ホルダを収容する灯具本体と、放熱フィンと、をさらに有し、前記レンズは、前記灯具本体の光出射側に位置し、  前記灯具本体の前記光出射側とは反対の側に前記放熱フィンが位置し、前記放熱フィンは、前記ＬＥＤ基板からの熱を放熱する。
【発明の効果】
【０００９】
本発明の照明器具によれば、立壁の内壁が不透光性を有するとともに低反射率を有することにより、立壁を透過した光が外部に漏れることや、内壁で反射した光が外部に漏れることを防止できる。
【図面の簡単な説明】
【００１０】
【図１】本発明に係る照明器具を示す分解斜視図
【図２】図１の照明器具の要部を示す分解斜視図
【図３】（Ａ）は図１のホルダをＬＥＤ実装基板側から見た状態を示す斜視図、（Ｂ）は図３（Ａ）のＡ部拡大図
【図４】（Ａ）は図１のホルダをレンズ側から見た状態を示す斜視図、（Ｂ）は図４（Ａ）のＢ部拡大図
【図５】図１のホルダにレンズおよびＬＥＤ実装基板を取り付けてレンズ側から見た状態を示す平面図
【図６】図５のＣ−Ｃ線断面図
【図７】図６のＤ部拡大図
【図８】従来の照明器具を示す分解斜視図
【発明を実施するための形態】
【００１１】
以下、本発明の実施形態に係る照明器具について図面を参照して説明する。
図１に示すように、本発明の実施形態である照明器具１０は、枠体１１と、枠体１１内に首振り可能に設けられた灯具１５とを備えている。
この照明器具１０は、一例として、枠体１１が天井面等の取付孔に埋設されてダウンライトに適用される照明器具である。
【００１２】
枠体１１は、略環状に形成された環状部（筒部）１２と、環状部１２に設けられた複数の取付ばね１３とを備えている。
環状部１２のフランジ１２Ａは、環状部１２が取付孔内に挿入された状態で天井面の下面に当接することにより枠体１１（すなわち、照明器具１０）を天井面に位置決めする部位である。
【００１３】
取付ばね１３は、環状部１２を天井面の取付孔に下方から挿入させる際に環状部１２に沿うように弾性変形され、環状部１２が取付孔に挿入されてフランジ１２Ａが天井面の下面に当接した後に、それぞれの外径を大きくするように弾性復元されて環状部１２を取付孔に保持する部材である。
この枠体１１内に灯具１５が首振り可能に支持されている。
【００１４】
図１、図２に示すように、灯具１５は、略円筒形状に形成された灯具本体１６と、灯具本体１６内の下端側に設けられたレンズ１７と、レンズ１７が前面に取り付けられたホルダ２０と、ホルダ２０の後面に取り付けられたＬＥＤ実装基板３０と、ＬＥＤ実装基板３０に重ね合わされた熱伝導シート３５と、灯具本体１６の頂部に設けられた放熱用のフィン３６とを備えている。
【００１５】
ＬＥＤ実装基板３０は、ホルダ２０の後面に取り付けられた基板３１と、基板３１に実装された複数のＬＥＤ光源３２とを備えている。
複数のＬＥＤ光源３２は、レンズ１７の複数のレンズ部位１８に対応して設けられている。
【００１６】
ホルダ２０は、レンズ１７より一回り大きく形成されたホルダプレート２１と、ホルダプレート２１の外周縁２１Ａに設けられた立壁２２とを有する。
このホルダ２０は、図６に示すように、ホルダプレート２１の上方にＬＥＤ実装基板３０を収容可能な上収容空間４１と、ホルダプレート２１の下方にレンズ１７を収容可能な下収容空間４２とを備えている。
【００１７】
図２に示すように、ホルダプレート２１は、複数の開口部２３を備えている。
複数の開口部２３は、レンズ１７に備えた複数のレンズ部位１８に対応する部位で、かつ、基板３１に実装された複数のＬＥＤ光源３２に対応する部位に形成されている。
【００１８】
立壁２２は、レンズ１７と別体の部材で、環状に形成されている。立壁２２は、内壁２２Ａが不透光性を有するとともに低反射率を有するように形成されている（図５も参照）。
この立壁２２は、ホルダプレート２１の上方に後面端部２２Ｂが位置し、ホルダプレート２１の下方に前面端部２２Ｃが位置する。
【００１９】
図３（Ａ），（Ｂ）に示すように、立壁２２は、後面端部２２Ｂに一対の基板取付部２４が１８０°の間隔をおいて設けられている。
さらに、図４（Ａ），（Ｂ）に示すように、前面端部２２Ｃに一対のレンズ取付部２７が１８０°の間隔をおいて設けられている。
【００２０】
図３（Ａ），（Ｂ）に示すように、基板取付部２４は、立壁２２の後面端部２２Ｂに弾性変形可能な基板脚部２５が設けられ、基板脚部２５の先端部に基板３１に係止可能な基板係止爪２６が設けられている。
基板係止爪２６は、傾斜部２６Ａが形成され、傾斜部２６Ａに基板３１の外周縁３１Ａ（図２参照）を当て、外周縁３１Ａで傾斜部２６Ａを押圧することにより基板脚部２５が弾性変形して基板係止爪２６が立壁２２の外側に逃げる。
【００２１】
基板３１の外周縁３１Ａが傾斜部２６Ａを乗り越えることにより、基板脚部２５が弾性変形状態から弾性変形前の状態に復帰し、基板３１の外周縁３１Ａに基板係止爪２６が係止する。
これにより、図６に示すように、立壁２２の後面端部２２Ｂに基板取付部２４で基板３１が取り付けられる。
【００２２】
この状態において、図６に示すように、基板取付部２４が立壁２２の上収容空間４１に収容される。
このように、立壁２２の後面端部２２Ｂに基板３１が取り付けられた状態において、基板３１に実装されたＬＥＤ光源３２がホルダプレート２１の開口部２３に位置する。
【００２３】
図４（Ａ），（Ｂ）に示すように、レンズ取付部２７は、立壁２２の前面端部２２Ｃに弾性変形可能なレンズ脚部２８が設けられ、レンズ脚部２８の先端部にレンズ１７の外周縁（周縁）１７Ａ（図２参照）に係止可能なレンズ係止爪２９が設けられている。
【００２４】
レンズ係止爪２９は、傾斜部２９Ａが形成され、傾斜部２９Ａにレンズ１７の外周縁１７Ａを当て、外周縁１７Ａで傾斜部２９Ａを押圧することによりレンズ脚部２８が弾性変形してレンズ係止爪２９が立壁２２の外側に逃げる。
レンズ１７の外周縁１７Ａが傾斜部２９Ａを乗り越えることにより、レンズ脚部２８が弾性変形状態から弾性変形前の状態に復帰する。
【００２５】
図７に示すように、レンズ脚部２８が弾性変形前の状態に復帰することにより、レンズ１７の外周縁１７Ａにレンズ係止爪２９が係止する。
これにより、立壁２２の前面端部２２Ｃにレンズ取付部２７でレンズ１７の外周縁１７Ａが取り付けられる。
【００２６】
この状態において、図５、図６に示すように、レンズ１７が立壁２２の下収容空間４２に収容される。
レンズ１７に複数のレンズ部位１８を有し、レンズ部位１８の頂部に凹部１９が形成されている。
【００２７】
このレンズ１７が立壁２２の下収容空間４２にレンズ取付部２７で収容されることにより、レンズ部位１８の凹部１９がホルダプレート２１の開口部２３に位置する。
この状態において、基板３１に実装されたＬＥＤ光源３２がレンズ部位１８の凹部１９に収容され、ＬＥＤ光源３２の前面にレンズ（すなわち、レンズ部位１８）が配置される。
【００２８】
以上説明したように、照明器具１０によれば、立壁２２の内壁２２Ａが不透光性を有するとともに低反射率を有することにより、立壁２２を透過した光が外部に漏れることや、内壁２２Ａで反射した光が外部に漏れることを防止できる。
【００２９】
加えて、立壁２２およびレンズ１７を別体で構成し、立壁２２の前面端部２２Ｃにレンズ取付部２７を設け、レンズ取付部２７で立壁２２の前面端部２２Ｃにレンズ１７を取り付けようにした。
よって、立壁２２を交換せずに、レンズ１７のみを交換することが可能となり、レンズ１７の交換が容易になる。
これにより、製造時あるいは施工時にレンズ１７と立壁２２との組み合わせが容易となり、かつ、レンズ１７や立壁２２の汎用性を高めることができる。
【００３０】
なお、本発明に係る照明器具は、前述した実施形態に限定されるものではなく適宜変更、改良等が可能である。
例えば、実施形態では、立壁２２の後面端部２２Ｂに一対の基板取付部２４を設けた例について説明したが、これに限らないで、基板取付部２４の個数を任意に選択することが可能である。
【００３１】
また、実施形態では、立壁２２の前面端部２２Ｃに一対のレンズ取付部２７を設けた例について説明したが、これに限らないで、レンズ取付部２７の個数を任意に選択することが可能である。
【００３２】
さらに、実施形態で使用した照明器具、レンズ、レンズ部位、ホルダ、立壁、レンズ取付部、ＬＥＤ実装基板およびＬＥＤ光源等の形状や構成は例示したものに限定するものではなく適宜変更が可能である。
【符号の説明】
【００３３】
１０  照明器具
１７  レンズ
１７Ａ  レンズの外周縁（周縁）
１８  レンズ部位
２０  ホルダ
２２  立壁
２２Ｃ  前面端部
２７  レンズ取付部
３０  ＬＥＤ実装基板
３２  ＬＥＤ光源
【図１】
0005810288.tif 000002
【図２】
0005810288.tif 000003
【図３】
0005810288.tif 000004
【図４】
0005810288.tif 000005
【図５】
0005810288.tif 000006
【図６】
0005810288.tif 000007
【図７】
0005810288.tif 000008
【図８】
0005810288.tif 000009